(57)【要約】【課題】複数の発光素子を備えることで高い光束を実現できるとともに、均一性の高い面発光を実現し、従来よりも高い面発光特性を有することでユーザに眩しさを感じさせ難い照明装置を提供する。【解決手段】照明装置は、発光モジュールと反射板と導光板１０４とを備える。導光板１０４には、各入光部に対応して凹凸構造を有する。凹凸構造を構成する複数の凸部１０４ｃ11，１０４ｃ21は、第１凸列群と第２凸列群とに群分けされる。第１凸列群に属する複数の凸部１０４ｃ11と第２凸列群に属する複数の凸部１０４ｃ21とは、平面視において、それぞれが全体として略鋸歯状をし、互いに噛み合う状態で設けられている。第１凸列群に属する各凸部１０４ｃ11の斜面１０４ｃｆと、第２凸列群に属する各凸部１０４ｃ21の斜面１０４ｃｆとは、仮想軸Ｌ104X上において、互いの裾同士が接している。【選択図】図８
2015162358.tif 000002
【特許請求の範囲】
【請求項１】
基板と、当該基板の一方の主面に対し列状に実装された複数の発光素子とを有してなる発光モジュールと、
前記発光モジュールにおける前記基板上に配置され、前記複数の発光素子の各々に対応する箇所に貫通孔が開けられてなり、前記基板に対向する側とは反対側の主面が光反射面である反射板と、
前記反射板上に配置され、前記貫通孔の各々に対応する箇所が入光部である導光板と、
を備え、
前記導光板における前記反射板側の主面は、前記入光部およびその周辺部において、それぞれが前記反射板側に突出した複数の凸部と、隣接する凸部間の各々の谷間部と、で構成されてなる凹凸構造を有しており、
前記導光板における前記反射板側の主面を平面視する場合に、前記複数の凸部は、それぞれが前記複数の発光素子の配列方向に沿って配列され、且つ、互いに前記複数の発光素子の配列方向に対して交差する方向に並設された第１凸列群と第２凸列群とに群分けされ、
前記導光板における前記反射板側の主面を平面視する場合に、前記第１凸列群と前記第２凸列群とは、それぞれが全体として略鋸歯形状を有し、互いの歯先同士が噛み合うように設けられている
ことを特徴とする照明装置。
【請求項２】
前記複数の凸部の各々は、互いに異なる２つの斜面を有しており、
前記導光板における前記反射板側の主面を平面視する場合に、前記２つの斜面同士が突き合う境界線である稜線は、前記複数の発光素子の配列方向に沿った仮想軸に対して交差している
請求項１記載の照明装置。
【請求項３】
前記導光板における前記反射板側の主面を平面視する場合に、
前記第１凸列群の各凸部における稜線は、前記基板の前記一方の主面に沿った面方向に対して斜め方向に配され、その基端が前記仮想軸よりも前記第２凸列群が配された側に位置しており、
前記第２凸列群の各凸部における稜線は、前記基板の前記一方の主面に沿った面方向に対して斜め方向に配され、その基端が前記仮想軸よりも前記第１凸列群が配された側に位置している
請求項２記載の照明装置。
【請求項４】
前記導光板における前記反射板側の主面を平面視する場合に、前記第１凸列群の各凸部における前記基端、および前記第２凸列群の各凸部における前記基端は、ともに前記仮想軸に対してオフセットされた位置にある
請求項２または請求項３記載の照明装置。
【請求項５】
前記導光板において、前記第１凸列群が形成されているベース面、および前記第２凸列群が形成されているベース面の少なくとも一方は、前記反射板側に向けて凸の曲面である
請求項２から請求項４の何れか記載の照明装置。
【請求項６】
前記導光板における前記反射板側の主面を平面視する場合に、前記第１凸列群の各凸部と、前記第２凸列群の各凸部とは、前記仮想軸上において、隣接する斜面の裾同士が接している
請求項２から請求項５の何れか記載の照明装置。
【請求項７】
前記各凸部における前記２つの斜面の各々は、その法線が、前記基板の一方の主面の法線方向、および前記複数の発光素子の配列方向、および前記法線方向と前記配列方向の双方に直交する幅方向の３方向に対して斜め方向である
請求項２から請求項６の何れか記載の照明装置。
【請求項８】
前記導光板における前記反射板側の主面の前記凹凸構造は、前記入光部の各々に対応して設けられている
請求項１から請求項７の何れか記載の照明装置。
【請求項９】
前記導光板における前記反射板側の主面を平面視する場合に、
一の前記入光部に対応する前記第１凸列群および前記第２凸列群の各々は、前記発光素子の中心に近い凸部に対して、中心から離れた位置にある凸部の方が、前記２つの斜面同士がなす角度が大きい
請求項１から請求項８の何れか記載の照明装置。
【請求項１０】
前記仮想軸の延伸方向において、隣接する入光部同士の間には、凸部が形成されていない領域が存在する
請求項１から請求項９の何れか記載の照明装置。
【請求項１１】
前記導光板は、前記幅方向の両端縁領域が、幅方向中心側から端部に向けて前記基板側に垂下する斜面となっている
請求項１から請求項１０の何れか記載の照明装置。
【請求項１２】
前記反射板における前記導光板側の主面は、前記導光板における前記両端縁領域における前記斜面の下側に位置する領域が、少なくとも前記導光板に沿っている
請求項１１記載の照明装置。
【請求項１３】
前記反射板における前記導光板側の主面を平面視する場合に、
前記反射板における隣接する前記貫通孔同士の間の領域は、前記導光板側の上辺が、前記貫通孔が開けられた部分よりも前記配列方向に交差する幅方向に湾状に後退した湾状部となっており、
前記湾状部の表面も光反射面であって、前記導光板との間に間隙が空いており、当該間隙が前記貫通孔と連続している
請求項１から請求項１２の何れか記載の照明装置。
【請求項１４】
前記反射板を、前記基板の一方の主面の法線方向と、前記配列方向との双方に直交する断面で断面視する場合に、
前記反射板における前記導光板側の主面は、前記導光板の端部よりも外側部分において、前記基板とは反対側に向けて立ち上がったＬ字状をしており、
前記導光板の端面と、前記反射板におけるＬ字状部分の立ち上がり部との間には、間隙が開けられており、
前記導光板の端面と前記反射板の主面における立ち上がり部との間の間隙は、前記導光板における前記反射板側主面からその反対側主面に向かう方向において、漸増している
請求項１から請求項１３の何れか記載の照明装置。
【請求項１５】
前記基板の一方の主面の法線方向において、前記反射板の主面における立ち上がり部の端は、前記導光板における前記反射板とは反対側の主面と前記端面との境界線よりも、前記基板側に位置している
請求項１４記載の照明装置。
【請求項１６】
前記反射板における隣接する前記貫通孔同士の間には、前記基板の一方の主面の法線方向および前記配列方向の双方に対して斜め方向となる孔間斜面が設けられており、
前記孔間斜面も光反射面である
請求項１から請求項１５の何れか記載の照明装置。
【請求項１７】
前記導光板に対し、前記反射板とは反対側の主面と間隙を空けた状態で覆う状態に拡散カバーが配置されている
請求項１から請求項１６の何れか記載の照明装置。
【請求項１８】
前記基板は、その他方の主面が基台の主面に熱結合された状態で配置されている
請求項１から請求項１７の何れか記載の照明装置。
【発明の詳細な説明】
【技術分野】
【０００１】
本発明は、照明装置に関し、特に、ＬＥＤ（Ｌｉｇｈｔ  Ｅｍｉｔｔｉｎｇ  Ｄｉｏｄｅ）などの発光素子を備える照明装置に関する。
【背景技術】
【０００２】
近年、省エネルギおよび環境負荷の低減などの観点から、ＬＥＤなどの発光素子を用いた照明装置が開発されている。このような照明装置としては、電球形のものや、平面視円形のシーリングライトなどをはじめ、最近では、直管形蛍光灯を代替するものが開発され、一部が実用化されている。
図１４（ａ）に示すように、従来技術に係る照明装置９は、Ｙ軸方向に長尺な基台９０１と、その上を覆うように取り付けられた拡散カバー９００とで外囲が構成されている。図１４（ｂ）に示すように、照明装置９では、基台９０１と拡散カバー９００とで外囲の内部には、Ｚ軸方向下側から順に、発光モジュール９０２、反射板９０３、導光板９０４が収納されている。
【０００３】
発光モジュール９０２は、複数の発光素子９０２１を備える。なお、図１４（ｂ）では発光素子９０２１を一つだけ図示しているが、発光モジュール９０２においては、図１４（ａ）におけるＹ軸方向に沿って複数の発光素子９０２１が所定間隔で配列されている。また、発光素子９０２１としては、例えば、ＬＥＤが採用されている。
反射板９０３には、発光モジュール９０２の発光素子９０２１の各々に対応する箇所に、Ｚ軸方向に貫通する貫通孔９０３ａが開けられている。各発光素子９０２１は、反射板９０３に開けられた貫通孔９０３ａに挿入されている。導光板９０４は、反射板９０３の上を覆うように配置されている。
【０００４】
従来技術に係る照明装置９では、電力供給を受けて発光素子９０２１から光が出射され、出射された光が反射板９０３に開けられた貫通孔９０３ａを通り、導光板９０４に入射される。入射された光は、導光板９０４においてＸ−Ｙ面方向に拡がり、拡散カバー９００を通り外方へ出射される。
なお、特許文献１，２では、発光素子の上方に、光拡散用のレンズ部材を配置するという技術も開示されている。
【先行技術文献】
【特許文献】
【０００５】
【特許文献１】特開２０１２−１０４４４５号公報
【特許文献２】特開２０１２−２５２９８８号公報
【発明の概要】
【発明が解決しようとする課題】
【０００６】
しかしながら、図１４に示すような照明装置９や特許文献１，２に開示の照明装置をはじめとする従来技術に係る照明装置では、均一な面発光を実現することが困難であり、ユーザが眩しさを感じるという問題がある。具体的には、図１４（ｂ）に示すように、ＬＥＤなどからなる発光素子９０２１から出射された光は直進性が高い（配光角が狭く）。ここで、導光板９０４により、発光素子９０２１から出射された光は、ある程度Ｘ−Ｙ面方向に分散されるが、Ｚ軸方向上向きに直進する光が相対的に強い（光の突き抜けが生じる）。よって、拡散カバー９００の外表面においては、矢印Ｈで指し示す部分が最も明るく、矢印Ｉで指し示す部分に向かうほど暗くなる傾向にある。
【０００７】
さらに、空間デザインなどとの関係で、照明装置については高い意匠性も求められ、例えば、Ｚ軸方向の高さＨ9を低くした薄型化を求められることがある。このような薄型化を行った場合には、導光板９０４の上面と拡散カバー９００の内側主面との間の間隔Ｇａｐ９も狭くならざるを得ず、光源に近づく結果、均一な面発光を実現することがより困難になるものと考えられる。
【０００８】
本発明は、このような問題の解決を図るべくなされたものであって、複数の発光素子を備えることで高い光束を実現できるとともに、均一性の高い面発光を実現し、従来よりも高い面発光特性を有することでユーザに眩しさを感じさせ難い照明装置を提供することを目的とする。
【課題を解決するための手段】
【０００９】
本発明に係る照明装置は、発光モジュールと、反射板と、導光板と、を備える。
発光モジュールは、基板と、当該基板の一方の主面に対し列状に実装された複数の発光素子とを有してなる。
反射板は、発光モジュールにおける基板上に配置され、複数の発光素子の各々に対応する箇所に貫通孔が開けられてなり、基板に対向する側とは反対側の主面が光反射面である。
【００１０】
導光板は、反射板上に配置され、貫通孔の各々に対応する箇所が入光部である。
上記構成において、導光板における反射板側の主面は、入光部およびその周辺部において、それぞれが反射板側に突出した複数の凸部と、隣接する凸部間の各々の谷間部と、で構成されてなる凹凸構造を有している。
導光板における反射板側の主面を平面視する場合に、複数の凸部は、それぞれが複数の発光素子の配列方向に沿って配列され、且つ、互いに複数の発光素子の配列方向に対して交差する方向に並設された第１凸列群と第２凸列群とに群分けされる。
【００１１】
導光板における反射板側の主面を平面視する場合に、第１凸列群と第２凸列群とは、それぞれが全体として略鋸歯形状を有し、互いの歯先同士が噛み合うように設けられている。
また、本発明に係る照明装置は、上記構成において、複数の凸部の各々は、互いに異なる２つの斜面を有しており、導光板における反射板側の主面を平面視する場合に、２つの斜面同士が突き合う境界線である稜線が、複数の発光素子の配列方向に沿った仮想軸に対して交差している。
【００１２】
また、本発明に係る照明装置は、上記構成において、導光板における反射板側の主面を平面視する場合に、第１凸列群の各凸部における稜線が、基板の上記一方の主面に沿った面方向に対して斜め方向に配され、その基端が仮想軸よりも第２凸列群が配された側に位置している。一方、同様に導光板における反射板側の主面を平面視する場合に、第２凸列群の各凸部における稜線は、基板の上記一方の主面に沿った面方向に対して斜め方向に配され、その基端が仮想軸よりも第１凸列群が配された側に位置している。
【００１３】
また、本発明に係る照明装置は、上記構成において、導光板における反射板側の主面を平面視する場合に、第１凸列群の各凸部における基端、および第２凸列群の各凸部における基端は、ともに仮想軸に対してオフセットされた位置（ずれた位置）にある。
また、本発明に係る照明装置は、上記構成において、導光板では、第１凸列群が形成されているベース面、および第２凸列群が形成されているベース面の少なくとも一方が、反射板側に向けて凸の曲面である。
【００１４】
また、本発明に係る照明装置は、上記構成において、導光板における反射板側の主面を平面視する場合に、第１凸列群の各凸部と、第２凸列群の各凸部とは、仮想軸上において、隣接する斜面の裾同士が接している。
また、本発明に係る照明装置は、上記構成において、各凸部における２つの斜面の各々の法線が、基板の一方の主面の法線方向、および複数の発光素子の配列方向、および法線方向と配列方向の双方に直交する幅方向の３方向に対して斜め方向である。
【００１５】
また、本発明に係る照明装置は、上記構成において、導光板における反射板側の主面の凹凸構造が、入光部の各々に対応して設けられている。
また、本発明に係る照明装置は、上記構成において、導光板における反射板側の主面を平面視する場合に、一の入光部に対応する第１凸列群および第２凸列群の各々が、発光素子の中心に近い凸部に対して、中心から離れた位置にある凸部の方が、２つの斜面同士がなす角度が大きい。
【００１６】
また、本発明に係る照明装置は、上記構成において、仮想軸の延伸方向における、隣接する入光部同士の間には、凸部が形成されていない領域が存在する。
また、本発明に係る照明装置は、上記構成において、導光板における幅方向の両端縁領域が、幅方向中心側から端部に向けて基板側に垂下する斜面となっている。
また、本発明に係る照明装置は、上記構成において、反射板における導光板側の主面について、導光板における両端縁領域における斜面の下側に位置する領域が、少なくとも導光板に沿っている。
【００１７】
また、本発明に係る照明装置は、上記構成において、反射板における導光板側の主面を平面視する場合に、反射板における隣接する貫通孔同士の間の領域における導光板側の上辺が、貫通孔が開けられた部分よりも配列方向に交差する幅方向に湾状に後退した湾状部となっている。そして、湾状部の表面も光反射面であって、導光板との間に間隙が空いており、当該間隙が貫通孔と連続している。
【００１８】
また、本発明に係る照明装置は、上記構成において、反射板を、基板の一方の主面の法線方向と、配列方向との双方に直交する断面で断面視する場合に、反射板における導光板側の主面が、導光板の端部よりも外側部分において、基板とは反対側に向けて立ち上がったＬ字状をしている。そして、導光板の端面と、反射板におけるＬ字状部分の立ち上がり部との間には、間隙が開けられている。さらに、導光板の端面と反射板の主面における立ち上がり部との間の間隙は、導光板における反射板側主面からその反対側主面に向かう方向において、漸増している。
【００１９】
また、本発明に係る照明装置は、上記構成において、基板の一方の主面の法線方向における、反射板の主面における立ち上がり部の端が、導光板における反射板とは反対側の主面と端面との境界線よりも、基板側に位置している。
また、本発明に係る照明装置は、上記構成において、反射板における隣接する貫通孔同士の間に、基板の一方の主面の法線方向および配列方向の双方に対して斜め方向となる孔間斜面が設けられており、孔間斜面も光反射面である。
【００２０】
また、本発明に係る照明装置は、上記構成において、導光板に対し、反射板とは反対側の主面と間隙を空けた状態で覆う状態に拡散カバーが配置されている。
また、本発明に係る照明装置は、上記構成において、基板における他方の主面が、基台の主面に熱結合された状態で配置されている。
【発明の効果】
【００２１】
本発明に係る照明装置では、導光板における各入光部およびその周辺部において、凹凸構造を有している。そして、凹凸構造における複数の凸部は、第１凸列群と第２凸列群とに群分けされ、平面視において、互いの歯先同士が噛み合う関係で配された略鋸歯形状を有している。このように、本発明に係る照明装置では、導光板において、互いに噛み合う状態で設けられた第１凸列群と第２凸列群とを有することで、発光素子から直上方向に向けた領域に凸部が存在することになる。よって、発光素子から出射された光の直上方向への突き抜けを抑制することができる。
【００２２】
従って、本発明に係る照明装置では、複数の発光素子を備えることで高い光束を実現できるとともに、より高い面発光特性を有することでユーザに眩しさを感じさせ難い、という効果を奏する。
【図面の簡単な説明】
【００２３】
【図１】本発明の実施の形態１に係る照明装置１の概略構成を示す模式斜視図。
【図２】照明装置本体１０の概略構成を示す模式展開斜視図。
【図３】（ａ）は、発光モジュール１０２の概略構成を示す模式平面図、（ｂ）は、発光モジュール１０２の概略構成を示す模式側面図。
【図４】（ａ）は、反射板１０３の概略構成を示す模式平面図、（ｂ）は、反射板１０３の概略構成を示す模式断面図。
【図５】反射板１０３の一部を拡大して示す模式斜視断面図。
【図６】導光板１０４の概略構成を示す模式斜視図。
【図７】（ａ）は、導光板１０４の概略構成を示す模式端面図、（ｂ）は、導光板１０４の一部を拡大して示す模式斜視断面図。
【図８】（ａ）は、導光板１０４の一部を拡大して示す模式平面図、（ｂ）は、図７（ａ）のＡ部を拡大して示す模式断面図。
【図９】導光板１０４の一部を拡大して示す模式断面図。
【図１０】（ａ）は、反射板１０３と導光板１０４との組み合わせ形態を示す模式断面図、（ｂ）は、図１０（ａ）のＢ部を拡大して示す模式断面図。
【図１１】（ａ）は、図１０（ａ）のＣ部を拡大して示す模試断面図、（ｂ）は、光の照射形態を示す模式断面図。
【図１２】（ａ）は、本発明の実施の形態２に係る照明装置２の概略構成を示す模式斜視図、（ｂ）は、照明装置２のＥ−Ｅ断面での構成を示す模式断面図。
【図１３】（ａ）は、照明装置本体４０の断面構成を示す模式断面図、（ｂ）は、照明装置２を壁６１に取り付けた際の光の照射形態を示す模式図。
【図１４】（ａ）は、従来技術に係る照明装置本体９の外観構成を示す模式斜視図、（ｂ）は、照明装置本体９のＦ−Ｆ断面での構成を示す模式断面図。
【発明を実施するための形態】
【００２４】
以下では、本発明を実施するための形態について、数例を示して説明する。なお、以下の説明で用いる形態は、本発明の構成および作用・効果を分かり易く説明するために用いる例であって、本発明は、その本質的な特徴部分以外において、何ら以下の形態に限定を受けるものではない。
［実施の形態１］
１．照明装置１の概略構成
本実施の形態に係る照明装置１の概略構成について、図１を用い説明する。
【００２５】
図１に示すように、照明装置１は、照明装置本体１０と、電源回路部２０と、電力線３０とを備える。二点鎖線で囲んだ部分に示すように、照明装置本体１０は、基台１０１と、基台１０１の上方を覆う拡散カバー１００により外囲が構成されている。
２．照明装置本体１０の概略構成
照明装置１における照明装置本体１０の概略構成について、図２を用い説明する。
【００２６】
図２に示すように、照明装置本体１０は、基台１０１と拡散カバー１００とで構成される外囲中に、発光モジュール１０２と、反射板１０３と、導光板１０４と、が収納されてなる構成を備える。
発光モジュール１０２は、Ｙ軸方向に長尺状の基板１０２０と、基板１０２０のＺ軸方向上側主面に実装されている複数の発光素子１０２１とから構成されている。本実施の形態では、発光素子１０２１としてＬＥＤが採用されている。
【００２７】
発光モジュール１０２は、基台１０１のＺ軸方向上側主面１０１ａに対して熱結合された状態で載置されている。
反射板１０３および導光板１０４は、それぞれにおけるＸ−Ｙ面方向でのサイズが、発光モジュール１０２の上方を覆うことができるものとなっている。
拡散カバー１００は、Ｙ軸方向に長尺状をし、Ｘ−Ｚ面での形状がチャネル状をしているカバー主部１０００と、カバー主部１０００の両端開口部を塞ぐように配されるカバー端部１００１，１００２との組み合わせを以って構成されている。なお、拡散カバー１００においては、Ｚ軸方向上側の主面１００ａが、側面１００ｂおよび端面１００ｃよりも大きな面積を有する。また、主面１００ａのＸ軸方向での幅は、側面１００ｂおよび端面１００ｃのＺ軸方向での高さよりも広くなっている。
【００２８】
３．発光モジュール１０２の概略構成
照明装置本体１０における発光モジュール１０２の概略構成について、図３を用い説明する。
図３（ａ）に示すように、発光モジュール１０２における複数の発光素子１０２１は、基板１０２０における基板主面１０２０ａ上に、Ｘ軸方向の中央をＹ軸方向に延伸する素子配列軸Ｌ102上に所定間隔で列状に実装されている。図３（ａ）および図３（ｂ）に示すように、基板１０２０の基板主面１０２０ａ上における複数の発光素子１０２１は、Ｙ軸方向において互いに間隔をあけた状態で配置されている。
【００２９】
図３（ａ）に示すように、基板１０２０におけるＸ軸方向両側の外辺は、素子配列軸Ｌ102の側に向けて湾状に切欠かれた切欠き部１０２０ｂが設けられている。この切欠き部１０２０ｂは、基板１０２０を基台１０１に取り付ける際に用いられる。
なお、図３（ａ）および図３（ｂ）では、発光素子１０２１を実装するために用いられる導電ランドや、導電ランド間を電気的に接続するためのパターン配線などの図示を省略している。また、各発光素子１０２１については、ＬＥＤチップなどの素子本体と、その上を覆うように積層された波長変換部材と、から構成されているが、公知の構成であるので図示を省略している。
【００３０】
４．反射板１０３の概略構成
照明装置本体１０における反射板１０３の概略構成について、図４および図５を用い説明する。
図４（ａ）に示すように、反射板１０３は、Ｘ軸方向での幅が発光モジュール１０２における基板１０２０の幅よりも広い長尺状の外観形状を有している。反射板１０３では、導光板１０４側の主面である反射板表面１０３ａが光反射面となっている。
【００３１】
反射板１０３には、下方に配置される発光モジュール１０２の各発光素子１０２１に対応する箇所に、貫通孔１０３ｂが開設されている。このため、貫通孔１０３ｂは、Ｘ軸方向の中央に、Ｙ軸方向に互いに間隔をあけた状態で複数開設されている。
また、図４（ａ）に示すように、貫通孔１０３ｂが開設されたＸ軸方向の中央から、Ｘ軸方向両側に少し離れた箇所に、それぞれＹ軸方向に間隔をあけた状態で複数の取付孔１０３ｋが設けられている。この取付孔１０３ｋは、反射板１０３の上に載置される導光板１０４の取り付けに用いられる。
【００３２】
図４（ｂ）に示すように、反射板１０３における反射板表面１０３ａは、Ｘ軸方向での中心から少し離れた両側の一部分は、Ｘ−Ｙ面方向に沿った平面部１０３ｃとなっている。それに対して、平面部１０３ｃよりもＸ軸方向の両端に近い部分は、Ｚ軸方向下側に徐々に低くなって行く（垂下して行く）斜面部１０３ｄとなっている。
さらに、斜面部１０３ｄよりもＸ軸方向の端部には、断面においてＬ字状の立ち上がったＬ字状部１０３ｅが設けられている。
【００３３】
反射板１０３における反射板裏面１０３ｆからは、Ｚ軸方向下向きに突出するボス部１０３ｇが複数形成されている。ボス部１０３ｇは、発光モジュール１０２における基板１０２０に設けられた切欠き部１０２０ｂを挿通し、基台１０１に開けられたボス孔に対して嵌合される。
次に、図５に示すように、反射板１０３における反射板表面１０３ａでは、Ｙ軸方向に沿ってあけられた貫通孔１０３ｂ同士の間に、反射面で構成される孔間反射面１０３ｉが設けられている。孔間反射面１０３ｉは、Ｙ軸方向およびＺ軸方向に対して斜め方向となる角度の斜面である。この構成により、発光素子１０２１から出射された光の一部が、孔間反射面１０３ｉで反射された後、導光板１０４へと入射されることになる。これより、照明装置１では、発光素子１０２１の直上だけが明るいという状況が発生するのを抑制することができ、ユーザに眩しさを感じさせ難い。
【００３４】
また、図５に示すように、貫通孔１０３ｂ同士の間の領域に対し、Ｘ軸方向両側の部分は、Ｚ軸方向の上辺が湾状に後退し、その下部が斜面で構成された湾状反射面１０３ｈが形成されている。この湾状反射面１０３ｈについても、光反射面となっている。この構成により、発光素子１０２１から出射された光の一部が、湾状反射面１０３ｈで種々の方向へと反射された後、導光板１０４へと入射されることになる。これより、照明装置１では、発光素子１０２１の直上だけが明るいという状況が発生するのを抑制することができ、ユーザに眩しさを感じさせ難い。
【００３５】
さらに、各貫通孔１０３ｂのＸ軸方向の両脇部分は、Ｘ軸方向およびＺ軸方向に対して斜め方向となる側方反射面１０３ｊが形成されている。この側方反射面１０３ｊについても、光反射面となっている。この構成により、発光素子１０２１から出射された光の一部が、側方反射面１０３ｊで反射された後、導光板１０４へと入射されることになる。これより、照明装置１では、発光素子１０２１の直上だけが明るいという状況が発生するのを抑制することができ、ユーザに眩しさを感じさせ難い。
【００３６】
５．導光板１０４の概略構成
照明装置本体１０における導光板１０４の概略構成について、図６から図９を用い説明する。
図６に示すように、導光板１０４は、Ｙ軸方向に長尺状の板部材である。そして、導光板１０４のサイズは、Ｘ軸方向での幅が反射板１０３の幅よりも少し狭くなっており、Ｙ軸方向の長さは略同じである。導光板１０４は、そのＺ軸方向上側の主面（導光板表面）１０４ａが、拡散カバー１００における主壁部１００ａの内面側を向くように配され、光出射側の面となる。
【００３７】
図７（ａ）に示すように、導光板１０４における導光板表面１０４ａは、反射板１０３における反射板表面１０３ａと同様に、Ｘ軸方向の両端に近い部分は、Ｚ軸方向下側に徐々に低くなって行く（垂下して行く）斜面部１０４ｆとなっている。また、導光板１０４の導光板表面１０４ａにおいては、Ｘ軸方向の中央部分（矢印Ａで指し示す部分）が、Ｙ軸方向下向きに凹形状となっている（中央窪み部１０４ｅ）。
【００３８】
一方、導光板１０４におけるＺ軸方向下側の主面（導光板裏面）１０４ｂからは、互いに間隔をあけて円柱状の突起部１０４ｄが複数設けられている。これら突起部１０４ｄは、反射板１０３に開けられた取付孔１０３ｋに嵌入されるものであって、これにより反射板１０３に対する導光板１０４の位置決めがなされる。
また、導光板１０４における導光板裏面１０４ｂには、Ｘ軸方向の中央部分に、Ｙ軸方向に並ぶ状態で凹凸構造部１０４ｃが設けられている。図７（ａ）に示すように、凹凸構造部１０４ｃは、導光板表面１０４ａにおける中央窪み部１０４ｅのＹ軸方向裏側となる箇所に形成されている。
【００３９】
なお、導光板１０４における凹凸構造部１０４ｃは、反射板１０３における貫通孔１０３ｂおよびその周辺ごとに対応して形成されている。即ち、導光板１０４における凹凸構造部１０４ｃは、入光部およびその周辺ごとに設けられており、Ｙ軸方向において、凹凸構造部１０４ｃ同士の間には、凹凸構造が設けられていない領域が存在する。
また、図７（ｂ）に示すように、各凹凸構造部１０４ｃは、ともにＹ軸方向に沿って配列され、互いにＸ軸方向にオフセットされた位置に配列された第１凸列群１０４ｃ1と第２凸列群１０４ｃ2とに群分けできる。
【００４０】
次に、図８（ａ）に示すように、導光板１０４における各凹凸構造部１０４ｃを平面視する場合、第１凸列群１０４ｃ1および第２凸列群１０４ｃ2（図７（ｂ）を参照）は、複数の凸部１０４ｃ11，１０４ｃ21と、隣接する凸部１０４ｃ11，１０４ｃ21間に形成された谷間部１０ｃ12，１０４ｃ22とで構成されている。
第１凸列群１０４ｃ1に属する複数の凸部１０４ｃ11、および第２凸列群１０４ｃ2に属する複数の凸部１０４ｃ21は、略三角錐状をしており、法線が互いに異なる方向を向くように配された２つの斜面１０４ｃｆを有する。そして、各凸部１０４ｃ11，１０４ｃ21の２つの斜面が共有する境界線である稜線Ｌｃ1，Ｌｃ2が、導光板１０４におけるＸ軸方向での中心軸である仮想軸Ｌ104Xに対して交差している。換言すると、稜線Ｌｃ1，Ｌｃ2は、仮想軸Ｌ104Xを横断する状態にある。
【００４１】
また、各斜面１０４ｃｆは、少なくとも一部領域でＸ軸方向およびＹ軸方向の両方向に対して斜め方向となっている。各斜面１０４ｃｆの法線については、少なくとも一部領域でＸ軸方向およびＹ軸方向およびＺ軸方向に対して斜め方向に配されている。
第１凸列群１０４ｃ1は、全体として導光板１０４のＸ軸方向中心である仮想軸Ｌ104X側に歯先を向けた略鋸歯形状をしている。同様に、第２凸列群１０４ｃ2も、全体として導光板１０４のＸ軸方向中心である仮想軸Ｌ104X側に歯先を向けた略鋸歯形状をしている。第１凸列群１０４ｃ1と第２凸列群１０４ｃ2とは、互いの歯先同士が噛み合う状態で配されている。このように、互いの歯先同士が噛み合う状態で第１凸列群１０４ｃ1と第２凸列群１０４ｃ2とを形成することにより、発光素子１０２１から出射された光が凸部１０４ｃ11，１０４ｃ21により屈折され、直上に突き抜けるのを抑制することができる。よって、本実施の形態に係る照明装置１では、ユーザに眩しさを感じさせ難い。
【００４２】
図８（ａ）に示すように、第１凸列群１０４ｃ1に属する複数の凸部１０４ｃ11の各稜線Ｌｃ1は、その基端Ｐ1が、仮想軸Ｌ104Xを超えたＸ軸方向上側に位置するように設けられている。同様に、第２凸列群１０４ｃ2に属する複数の凸部１０４ｃ21の各稜線Ｌｃ2は、その基端Ｐ2が、仮想軸Ｌ104Xを超えたＸ軸方向下側に位置するように設けられている。これを図８（ｂ）に示す模式断面図で見ると、仮想軸Ｌ104X上においては、稜線Ｌｃ1と稜線Ｌｃ2とが交差した状態となっている。
【００４３】
また、図８（ａ）に示すように、導光板１０４においては、第１凸列群１０４ｃ1に属する凸部１０４ｃ11の裾と、第２凸列群１０４ｃ2に属する凸部１０４ｃ2１の裾とが、仮想軸Ｌ104X上において接する状態に設定されている。これにより、図８（ｂ）に示すように、発光素子１０２１から出射された光が、Ｚ軸方向（仮想軸Ｌ104Xに沿った方向）において、導光板１０４をその厚み方向に突き抜けてしまうことを更に確実に抑制することができる。このため、照明装置１では、ユーザに眩しさを感じさせ難い。
【００４４】
なお、本実施の形態に係る照明装置１の導光板１０４においては、Ｙ軸方向における発光素子１０２１の中心線Ｌ104Yと、第２凸列群１０４ｃ2に属するＹ軸方向中央に配された凸部１０４ｃ21の稜線Ｌｃ2とが一致する状態にある。ただし、第２凸列群１０４ｃ2の各凸部１０４ｃ21の配置については、これに限られるものではない。
また、図８（ｂ）に示すように、導光板１０４においては、第１凸列群１０４ｃ1および第２凸列群１０４ｃ2の形成に係るベース面１０４ｂ1，１０４ｂ2が、Ｚ軸方向下方に向けて凸の曲面で構成されている。これにより、当該ベース面１０４ｂ1，１０４ｂ2に対して光が入射した場合にあっても、屈折により拡散されて導光板１０４内へと光が進むことになる。ここで、ベース面１０４ｂ1、１０４ｂ2の両方が上記のような曲面で構成されていることが望ましいが、どちらか一方だけでも効果を得ることができる。
【００４５】
次に、図９に示すように、第１凸列群１０４ｃ1に属する複数の凸部１０４ｃ11について、Ｙ−Ｚ断面で見る場合、断面形状の相違から、発光素子１０２１の中心線Ｌ104Yに近い４つの凸部１０４ｃ111と、その外側に配された４つの凸部１０４ｃ112とに分けることができる。中心寄りの４つの凸部１０４ｃ111における各２つの辺１０４ｃｆ1がなす角度は角度θ1である。一方、外側寄りの４つの凸部１０４ｃ112における各２つの辺１０４ｃｆ2がなす角度は角度θ2である。角度θ1と角度θ2とは、次のような関係となっている。
【００４６】
［数１］θ2＞θ1
より具体的には、本実施の形態における角度θ1は６０°であり、角度θ2は９０°である。
なお、図９では、第１凸列群１０４ｃ1に属する凸部１０４ｃ11のみを図示したが、第２凸列群１０４ｃ2に属する凸部１０４ｃ21についても、各２つの辺がなす角度が、中心寄りの凸部の方が、外側寄りの凸部よりも小さくなっている。
【００４７】
また、本実施の形態では、各凸部１０４ｃ11について、中心寄りの４つの凸部１０４ｃ111で角度θ1が同一であり、外側寄りの４つの凸部１０４ｃ112で角度θ2が同一であるとした。ただし、中心寄りよりも外側へ行くに従って角度が大きくなるようにすることもできる。また、角度θ1，θ2の具体的な値については、上記の数値に限定されるものではない。
【００４８】
６．反射板１０３と導光板１０４との組み合わせ
反射板１０３と導光板１０４とを組み合わせた際の形態について、図１０および図１１を用い説明する。
図１０（ａ）に示すように、反射板１０３と導光板１０４とが組み合わされた状態では、Ｘ軸方向の中心寄りの一部分（矢印Ｂで指し示す部分）を除き、反射板表面１０３ａ（図４を参照）に対して、導光板裏面１０４ｂ（図６を参照）が密に接した状態となっている。
【００４９】
図１０（ｂ）に示すように、Ｘ軸方向の中心寄りの一部分（図１０（ａ）の矢印Ｂで指し示す部分）では、反射板１０３と導光板裏面１０４ｂとの間に間隙Ｇａｐ１が空くようになっている。特に、隣接する貫通孔１０３ｂ同士の間の湾状反射面１０３ｈが形成された箇所では、間隙Ｇａｐ１が広くなっている。
なお、間隙Ｇａｐ１に対しては、発光素子１０２１から出射された光の一部が漏れ出し、湾状反射面１０３ｈ、および孔間反射面１０３ｉや側方反射面１０３ｊ（図５を参照）などで反射した後、導光板１０４に入光される。
【００５０】
なお、図示を省略しているが、導光板１０４における凹凸構造部１０４ｃ（図７などを参照）は、反射板１０３における貫通孔１０３ｂに挿入されている。そして、貫通孔１０３ｂ内で、凹凸構造部１０４ｃは発光素子１０２１と向かい合うようになっている（図８（ｂ）を参照）。
次に、図１１（ａ）に示すように、図１０（ａ）の矢印Ｃで指し示す部分では、導光板１０４の端面１０４ｇに対し、反射板１０３におけるＬ字状部１０３ｅの表面１０３ｅｆが、間隙Ｇａｐ２をあけた状態となっている。そして、導光板１０４の端面１０４ｇと反射板１０３のＬ字状部１０３ｅの表面１０３ｅｆの間の間隙Ｇａｐ２は、Ｚ軸方向上側に行くに従って大きくなっている。
【００５１】
導光板１０４の端面１０４ｇと反射板１０３のＬ字状部１０３ｅの表面１０３ｅｆとがなす角度は、角度θ3である。
本実施の形態では、角度θ3は、２０°としている。
また、図１１（ａ）に示すように、反射板１０３におけるＬ字状部１０３ｅは、そのＺ軸方向上端が導光板１０４における端面１０４ｇのＺ軸方向上端よりも段差ｇだけ低い位置に設定されている。
【００５２】
本実施の形態では、段差ｇは、０．６［ｍｍ］程度である。
図１１（ｂ）に示すように、導光板１０４における端面１０４ｇと反射板１０３のＬ字状部１０３ｅとについて、上記のような構成とすることにより、導光板１０４の端面１０４ｇから出射した光の全てが、直接、拡散カバー１００の側壁部１００ｂに照射されることが抑制できる。よって、照明装置１では、拡散カバー１００における側壁部１００ｂでも均一な面発光を得ることができる。具体的には、間隙Ｇａｐ２を設けることにより、導光板１０４の端面１０４ｇから出射した光の一部が、反射板１０３のＬ字状部１０３ｅの表面１０３ｅｆで反射されて拡散カバー１００へと照射される。このため、拡散カバー１００の側壁部１００ｂに対する光の分散を図ることができる。
【００５３】
また、図１１（ｂ）に示すように、導光板１０４および反射板１０３における各Ｘ軸方向の両端に近い側の領域を、それぞれ斜面部１０４ｆ、１０３ｄとしている。このため、導光板１０４の斜面部１０４ｆから出射された光は、拡散カバー１００におけるコーナー部分１００ｄおよびその周辺にも均一に照射される（矢印Ｄで指し示す部分）。よって、照明装置１では、拡散カバー１００におけるコーナー部分１００ｄについても均一な面発光特性を実現することができる。
【００５４】
７．得られる効果
本実施の形態に係る照明装置１では、導光板１０４における各入光部およびその周辺部において、凹凸構造部１０４ｃを設けている。そして、凹凸構造部１０４ｃについては、上記のような構成を以って形成されているので、発光素子１０２１から出射された光の一部が、凸部１０４ｃ11，１０４ｃ21の斜面１０４ｃｆで屈折され、直上方向（Ｚ軸方向）に突き抜けて行くことが抑制される。
【００５５】
なお、各凸部１０４ｃ11，１０４ｃ21の各斜面１０４ｃｆの少なくとも一部領域が、Ｘ軸方向およびＹ軸方向に対して上記関係を以って設けられているので、発光素子１０２１から出射された光が複数の凸部１０４ｃ11，１０４ｃ21で多方向に屈折される。よって、照明装置１では、発光に係る領域毎のムラが低減され、より均一な面発光を実現することができる。
【００５６】
従って、照明装置１では、複数の発光素子１０２１を備えることで高い光束を実現できるとともに、より高い面発光特性を有することでユーザに眩しさを感じさせ難い、という効果を奏する。
［実施の形態２］
本発明の実施の形態２に係る照明装置２の構成について、図１２および図１３を用い説明する。
【００５７】
図１２に示すように、本実施の形態に係る照明装置２は、Ｙ軸方向に長尺な形状を有する照明装置本体４０と、Ｘ−Ｚ面において略Ｌ字状をし、照明装置本体４０とＹ軸方向の長さが同等であるベース部５０との組み合わせを以って構成されている。
図１２（ｂ）に示すように、照明装置２のベース部５０は、Ｘ−Ｚ面における断面が略Ｌ字の箱形状をした筐体５１と、筐体５１内に収納された電源回路部５２とを有している。
【００５８】
図１３（ａ）に示すように、照明装置本体４０は、基本的に上記実施の形態１に係る照明装置本体１０と同様の構成を有している。即ち、逆Ｔ字断面形状を有する基台４０１の上に、発光モジュール４０２が載置されている。発光モジュール４０２の構成については、上記実施の形態１における発光モジュール１０２と同様であり、紙面に垂直な方向に複数の発光素子が列状に配置されている。
【００５９】
そして、発光モジュール４０２の上には、反射板４０３および導光板４０４が順に載置されている。導光板４０４に対し、間隙をあけた状態で拡散カバー４００が被せられている。
図１３（ｂ）に示すように、本実施の形態に係る照明装置２は、例えば、店舗や家庭において、天井面６２に近い側壁面６１に設置することができる。取り付けにおいては、ベース部５０の側壁外面を天井面６２に近い側壁面６１に対して行う。そして、このとき発光装置本体４０における拡散カバー４００の主壁部４００ａの表面が天井面６２に向かい合い、側壁部４００ｂの表面が側壁面６１とは反対側を向くようにしておく。
【００６０】
このような設置を行った場合には、照明装置２から出射された光は、天井面６２および側壁面６１、さらには側壁面６１とは反対側の空間に対して照射される。そして、照射光は、高い面発光特性を有するものであって、空間デザインの観点から高い意匠性を備える。
なお、上記においては、照明装置２における各部サイズについては言及していないが、例えば、次のような相対的なサイズを採用することができる。
【００６１】
装置全体でのＺ軸方向高さをＨ2とし、照明装置本体４０でのＺ軸方向高さをＨ40とするとき、Ｈ40／Ｈ2≒４２．５％の関係を満足するようにそれぞれを設定する。
また、装置全体でのＸ軸方向幅をＷ2とし、照明装置本体でのＸ軸方向幅をＷ40とするとき、Ｗ40／Ｗ2≒４８．５％の関係を満足するようにそれぞれを設定する。
さらに、Ｈ40／Ｗ40≒４２．５％、Ｈ2／Ｗ2≒３８．５％の関係も満足するように各サイズを設定することができる。
【００６２】
ただし、照明装置を設置しようとする空間構造や、光のデザインなどによって、各サイズについては適宜変更することができる。
［その他の事項］
上記実施の形態１，２では、導光板１０４，４０４の構成を図８などに示すような形態としたが、本発明は、これに限定を受けるものではない。例えば、第１凸列群１０４ｃ1の凸部１０４ｃ11と第２凸列群１０４ｃ2の凸部１０４ｃ21とは、仮想軸Ｌ104X上で裾同士が必ずしも接しなくてもよい。また、凸部１０４ｃ11，１０４ｃ21における斜辺１０４ｃｆ同士がなす角度については、場所により変える必要は必ずしもない。即ち、図９に示す形態に限定を受けるものではなく、斜辺同士のなす角度が同じ凸部が連続しているような形態を採用することもできる。
【００６３】
また、上記実施の形態１，２では、導光板１０４，４０４における第１凸列群１０４ｃ1および第２凸列群１０４ｃ2が、各発光素子１０２１に対応して設けられ、Ｙ軸方向において、凸部が設けられていない領域が存在することとした（図６などを参照）。
しかし、本発明では、これに限定を受けるものではなく、Ｙ軸方向に凹凸構造が連続するようにしてもよい。
【００６４】
また、上記実施の形態１，２では、凸部１０４ｃ11，１０４ｃ21の断面形状を略三角形としたが、本発明は、これに限定を受けるものではない。例えば、半円形断面や半楕円形断面、多角形断面などとすることもできる。
上記実施の形態１，２では、発光モジュール１０２，４０２における発光素子１０２１，・・として、ＬＥＤを採用したが、本発明はこれに限定を受けるものではない。例えば、有機ＥＬ（Ｅｒｅｃｔｒｏ  Ｌｕｍｉｎｅｓｃｅｎｃｅ）素子や、無機ＥＬ素子、さらには半導体レーザ素子などを採用することなどもできる。
【００６５】
また、上記実施の形態１，２では、発光モジュール１０２，４０２において、発光素子１０２１，・・が直線上に配列されてなる形態を一例として採用したが、発光素子の配列形態については直線状に限定されるものではない。例えば、平面視において、弧を描くように配列してもよいし、Ｓ字状あるいはクランク状などのライン状に配列することもできる。
【００６６】
また、上記実施の形態１，２では、例えば図２などに示すように、反射板１０３，４０３および導光板１０４，４０４におけるＸ軸方向の両側端領域だけを斜面部１０３ｄ，１０４ｆとすることとしたが、Ｙ軸方向の両側端領域についても、同様の斜面部とすることも可能である。ただし、照明装置をその長手方向に繋げて用いるような場合を想定する場合には、上記実施の形態１，２のような反射板１０３，４０３および導光板１０４，４０４の形態を採用することが望ましい。
【００６７】
また、上記実施の形態１，２、では、導光板１０４，４０４における凹凸構造部１０４ｃ，・・について、隣接する凹凸構造部１０４ｃ，・・同士の間には、凹凸構造が形成されていない領域を設けることとしたが、本発明は、これに限定を受けるものではない。例えば、Ｙ軸方向において、凹凸構造が連続して形成されたような形態を採用することもできる。
【００６８】
ただし、発光素子１０２１から出射された光の拡散を図ることができるように、凹凸構造の形成形態については適宜設定することが望ましい。
また、図８（ｂ）に示すように、上記実施の形態１，２では、導光板１０４，４０４の凹凸構造部１０４ｃ，・・（入光部）における凸部１０４ｃ11，１０４ｃ21の一部が反射板１０３，４０３の貫通孔１０３ｂ内に入り込んでいる形態を採用したが、本発明は、これに限定を受けるものではない。導光板における各入光部については、反射板に開設された貫通孔に対応して設けられていればよい。具体的には、上記実施の形態１，２で採用した構成の他に、例えば、貫通孔内に入り込んでおらず、貫通孔の開口から間隔をあけて配置されている構成としてもよい。
【００６９】
また、上記実施の形態１，２では、発光モジュール１０２，４０２における複数の発光素子１０２１，・・が、一列に実装された形態を一例として採用したが、本発明は、これに限定を受けるものではない。例えば、２列としてもよいし、３列以上としてもよい。さらに、一部領域に、例えば常夜灯に用いるような発光素子群を別途設けることとしてもよい。
【００７０】
また、上記実施の形態２においては、図１２（ｂ）に示すように、Ｘ−Ｚ面における断面が略Ｌ字の箱形状をした筐体５１と、筐体５１内に収納された電源回路部５２とを有してなるベース部５０を備えることとしたが、本発明はこれに限定を受けるものではない。筐体の断面については、三角や四角などの多角形の箱形状とすることや、外辺の一部あるいは全部が曲線で構成された箱形状とすることなどもできる。
【符号の説明】
【００７１】
１．照明装置
１０．照明装置本体
２０．電源回路部
３０．電力線
１００．拡散カバー
１０１．基台
１０２．発光モジュール
１０３．反射板
１０３ｂ．貫通孔
１０４．導光板
１０４ｂ1，１０４ｂ2．ベース面
１０４ｃ．凹凸構造部
１０４ｃ1．第１凸列群
１０４ｃ11．凸部
１０４ｃ12．谷間部
１０４ｃ2．第２凸列群
１０４ｃ21．凸部
１０４ｃ22．谷間部
１０４ｃｆ．斜面
１０２０．基板
１０２０ａ．基板主面
１０２１．発光素子
Ｌ102．素子配列軸
Ｌ104X．仮想軸
Ｌｃ1，Ｌｃ2．稜線
Ｐ1，Ｐ2．基端
【図１】
2015162358.tif 000003
【図２】
2015162358.tif 000004
【図３】
2015162358.tif 000005
【図４】
2015162358.tif 000006
【図５】
2015162358.tif 000007
【図６】
2015162358.tif 000008
【図７】
2015162358.tif 000009
【図８】
2015162358.tif 000010
【図９】
2015162358.tif 000011
【図１０】
2015162358.tif 000012
【図１１】
2015162358.tif 000013
【図１２】
2015162358.tif 000014
【図１３】
2015162358.tif 000015
【図１４】
2015162358.tif 000016